【手続補正書】
【提出日】平成28年11月10日(2016.11.10)
【手続補正１】
【補正対象書類名】特許請求の範囲
【補正対象項目名】全文
【補正方法】変更
【補正の内容】
【特許請求の範囲】
【請求項１】
芳香族ポリアミドと溶媒とを含み、
前記芳香族ポリアミドは、１以上のフリーのカルボキシル基を有する構成単位を含み、かつ、主鎖に芳香環構造及び脂環構造を有する、ポリアミド溶液。
【請求項２】
前記芳香族ポリアミドの全構成単位に対する、主鎖に脂環構造を有する構成単位の割合が、モル比率で３モル％以上６０モル％以下である、請求項１に記載のポリアミド溶液。
【請求項３】
前記芳香族ポリアミドの全構成単位に対する、フリーのカルボキシル基を有する構成単位の割合が、モル比率で０．０１モル％以上３０モル％以下である、請求項１または２に記載のポリアミド溶液。
【請求項４】
前記芳香族ポリアミドが、下記一般式（Ｉ）から（ＩＶ）で表される構成単位を有する、請求項１から３のいずれかに記載のポリアミド溶液。
【化１】
2016056357.tif 000001
［式（Ｉ）〜（ＩＶ）において、ｘ、ｙ、ｖ及びｗはそれぞれ構成単位（Ｉ）〜（ＩＶ）のモル分率であって、
ｘ＋ｖが７０〜９９．９９モル％であり、
ｙ＋ｗが３０〜０．０１モル％であり、
ｘ＋ｙが９６〜５０モル％であり、
ｖ＋ｗが４〜５０モル％であり、
ｎ＝１から４であり、
Ａｒ1は
【化２】
2016056357.tif 000002
からなる群から選択され、ｐ＝４、ｑ＝３、Ｒ1、Ｒ2、Ｒ3、Ｒ4、Ｒ5は、水素、ハロゲ
ン、アルキル、置換アルキル、ニトロ、シアノ、チオアルキル、アルコキシ、置換アルコキシ、アリール、置換アリール、アルキルエステル、及び置換アルキルエステル、並びにその組み合せからなる群から選択され、Ｇ1は、共有結合、ＣＨ2基、Ｃ（ＣＨ3）2基、Ｃ（ＣＦ3）2基、Ｃ（ＣＸ3）2基（但しＸはハロゲン）、ＣＯ基、Ｏ原子、Ｓ原子、ＳＯ2基、Ｓｉ（ＣＨ3）2基、９，９−フルオレン基、置換９，９−フルオレン基、及びＯＺＯ基からなる群から選択され、Ｚは、アリール基又は置換アリール基であり、
Ａ1は、
【化３】
2016056357.tif 000003
からなる群から選択され、ｒ＝１０、ｓ＝６、ｔ＝８であり、Ｒ6、Ｒ7、Ｒ8は、水素、
ハロゲン、アルキル、置換アルキル、ニトロ、シアノ、チオアルキル、アルコキシ、置換アルコキシ、アリール、置換アリール、アルキルエステル、及び置換アルキルエステル、並びにその組み合せからなる群から選択され、
Ａｒ2は、
【化４】
2016056357.tif 000004
からなる群から選択され、ｐ＝４であり、Ｒ9、Ｒ10、Ｒ11は、水素、ハロゲン、アルキ
ル、置換アルキル、ニトロ、シアノ、チオアルキル、アルコキシ、置換アルコキシ、アリール、置換アリール、アルキルエステル、及び置換アルキルエステル、並びにその組み合せからなる群から選択され、Ｇ2は、共有結合、ＣＨ2基、Ｃ（ＣＨ3）2基、Ｃ（ＣＦ3）2基、Ｃ（ＣＸ3）2基（但しＸはハロゲン）、ＣＯ基、Ｏ原子、Ｓ原子、ＳＯ2基、Ｓｉ（
ＣＨ3）2基、９，９−フルオレン基、置換９，９−フルオレン基、及びＯＺＯ基からなる群から選択され、Ｚは、アリール基又は置換アリール基であり、
Ａｒ3は、
【化５】
2016056357.tif 000005
からなる群から選択され、ｕ＝０〜３であり、Ｒ12、Ｒ13、Ｒ14は、水素、ハロゲン、アルキル、置換アルキル、ニトロ、シアノ、チオアルキル、アルコキシ、置換アルコキシ、アリール、置換アリール、アルキルエステル、及び置換アルキルエステル、並びにその組み合せからなる群から選択され、Ｇ3は、共有結合、ＣＨ2基、Ｃ（ＣＨ3）2基、Ｃ（ＣＦ3）2基、Ｃ（ＣＸ3）2基（但しＸはハロゲン）、ＣＯ基、Ｏ原子、Ｓ原子、ＳＯ2基、Ｓ
ｉ（ＣＨ3）2基、９，９−フルオレン基、置換９，９−フルオレン基、及びＯＺＯ基からなる群から選択され、Ｚは、アリール基又は置換アリール基である。］
【請求項５】
前記芳香族ポリアミドが前記一般式（Ｉ）及び（ＩＩ）で表される繰り返し単位を複数有し、Ａｒ1、Ａｒ2及びＡｒ3が、同一又は異なる、請求項４に記載のポリアミド溶液。
【請求項６】
ポリアミドが前記一般式（ＩＩＩ）及び（ＩＶ）で表される繰り返し単位を複数有し、Ａ1、Ａｒ2及びＡｒ3が、同一又は異なる、請求項４または５に記載のポリアミド溶液。
【請求項７】
前記芳香族ポリアミドが、
【化６】
2016056357.tif 000006
からなる群から選択される一又は複数の二酸ジクロリド由来の構造単位を含有する、請求項１から６のいずれかに記載のポリアミド溶液。
［上記式において、ｐ＝４、ｑ＝３、ｒ＝１０、Ｒ1、Ｒ2、Ｒ3、Ｒ4、Ｒ5、Ｒ6は、水素、ハロゲン、アルキル、置換アルキル、ニトロ、シアノ、チオアルキル、アルコキシ、置換アルコキシ、アリール、置換アリール、アルキルエステル、及び置換アルキルエステル、並びにその組み合せからなる群から選択される。Ｇ1は、共有結合、ＣＨ2基、Ｃ（ＣＨ3）2基、Ｃ（ＣＦ3）2基、Ｃ（ＣＸ3）2基（但しＸはハロゲン）、ＣＯ基、Ｏ原子、Ｓ原子、ＳＯ2基、Ｓｉ（ＣＨ3）2基、９，９−フルオレン基、置換９，９−フルオレン基、
及びＯＺＯ基からなる群から選択され、Ｚは、アリール基又は置換アリール基である。］
【請求項８】
前記芳香族ポリアミドが、
【化７】
2016056357.tif 000007
からなる群から選択される一又は複数の芳香族ジアミン由来の構造単位を含有する、請求項１から７のいずれかに記載のポリアミド溶液。
［上記式において、ｐ＝４、ｍ＝１〜４、ｕ＝０〜３、Ｒ9、Ｒ10、Ｒ11、Ｒ12、Ｒ13、
Ｒ14は、水素、ハロゲン、アルキル、置換アルキル、ニトロ、シアノ、チオアルキル、アルコキシ、置換アルコキシ、アリール、置換アリール、アルキルエステル、及び置換アルキルエステル、並びにその組み合せからなる群から選択される。Ｇ2及びＧ3は、共有結合、ＣＨ2基、Ｃ（ＣＨ3）2基、Ｃ（ＣＦ3）2基、Ｃ（ＣＸ3）2基（但しＸはハロゲン）、
ＣＯ基、Ｏ原子、Ｓ原子、ＳＯ2基、Ｓｉ（ＣＨ3）2基、９，９−フルオレン基、置換９，９−フルオレン基、及びＯＺＯ基からなる群から選択され、Ｚは、アリール基又は置換アリール基である。］
【請求項９】
ガラスプレート上で作製される厚み９〜１２μｍの、当該ポリアミド溶液を塗布乾燥してなるキャストフィルムの黄色度（ＪＩＳ  Ｋ７３７３）が、２．４以下である、請求項１から８のいずれかに記載のポリアミド溶液。
【請求項１０】
前記芳香族ポリアミドの少なくとも一端がエンドキャップされたものである、請求項１から９のいずれかに記載のポリアミド溶液。
【請求項１１】
下記工程ａ）〜ｃ）を含むディスプレイ用素子、光学用素子、照明用素子又はセンサ素子の製造方法に使用するための、請求項１から１０のいずれかに記載のポリアミド溶液。
ａ）当該芳香族ポリアミド溶液を支持材へ塗布する工程。
ｂ）前記塗布工程（ａ）後に、ポリアミドフィルムを前記支持材上に形成する工程。
ｃ）ディスプレイ用素子、光学用素子、照明用素子又はセンサ素子を前記ポリアミドフィルムの表面上に形成する工程。
ここで、前記支持材又は前記支持材の表面は、ガラス又はシリコンウエハーである。
【請求項１２】
下記工程ａ）〜ｃ）を含むディスプレイ用素子、光学用素子、照明用素子又はセンサ素子の製造方法。
ａ）請求項１から１１のいずれかに記載のポリアミド溶液を支持材へ塗布する工程。
ｂ）前記塗布工程（ａ）後に、ポリアミドフィルムを前記支持材上に形成する工程。
ｃ）ディスプレイ用素子、光学用素子、照明用素子又はセンサ素子を前記ポリアミドフィルムの表面上に形成する工程。
ここで、前記支持材又は前記支持材の表面は、ガラス又はシリコンウエハーである。
【請求項１３】
さらに、形成されたディスプレイ用素子、光学用素子、照明用素子又はセンサ素子を前記支持材から剥離する工程を含む、請求項１２記載のディスプレイ用素子、光学用素子、照明用素子又はセンサ素子の製造方法。
【請求項１４】
ガラスプレート、ポリアミド樹脂層を含み、
ガラスプレートの一方の面上にポリアミド樹脂層が積層されており、
ポリアミド樹脂層の黄色度（ＪＩＳ  Ｋ７３７３）が２．４以下であり、
前記ポリアミド樹脂層は、請求項１から１１のいずれかに記載のポリアミド溶液を塗布乾燥してなる、積層複合材。
【請求項１５】
前記ガラスプレートの厚みが、０．３ｍｍ以上である、請求項１４記載の積層複合材。
【請求項１６】
前記ポリアミド樹脂層の厚みが、５００μｍ以下である、請求項１４又は１５のいずれかに記載の積層複合材。
【請求項１７】
請求項１４から１６のいずれかに記載の積層複合材のポリアミド樹脂層のガラスプレートと対向する面と反対の面上にディスプレイ用素子、光学用素子、照明用素子又はセンサ素子を形成する工程を含む、ディスプレイ用素子、光学用素子、照明用素子又はセンサ素子の製造方法。
【請求項１８】
さらに、形成されたディスプレイ用素子、光学用素子、照明用素子又はセンサ素子をガラスプレートから剥離する工程を含む、請求項１７記載のディスプレイ用素子、光学用素子、照明用素子又はセンサ素子の製造方法。